Podtech/llm-jp-corpus-v4-ja_patent huggingface dataset:
(57)【要約】      （修正有）【課題】自動給餌装置としてのハンドリングのマンマシンインターオペラビリティ向上を計ったエコロジー処理コンピュータを提供する。【解決手段】ビデオシステム２によりタッチパネルＴＶ１に作った映像により作ったプログラムをＲＯＭに作りＰ-ＲＯＭコンピュータドライブシステム３として自動給餌システムのオペレーションスイッチの自動操作を行い、マンマシンインターオペラビリティ向上を計った物理学的仕事の情報化とした。【選択図】図１
0003160286.tif 000002
【実用新案登録請求の範囲】
【請求項１】
ビデオシステムによりタッチパネルＴＶに作った映像によりＰ−ＲＯＭコンピュータドライブシステムのプログラムＲＯＭを完成し、自動給餌システムのマンマシンインターオペラビリティ向上を計ったエコロジー処理コンピュータ。則ちＴＶ映像のシミュレーションまでの情報処理装置に、その情報を使って自動給餌システムに物理学的仕事をさせた情報化であり、エコロジー処理コンピュータと称して普及を計るもの。
【考案の詳細な説明】
【技術分野】
【０００１】
本考案は、従来の自動給餌装置としてのハンドリングのマンマシンインターオペラビリティ向上を計ったエコロジー処理コンピュータに関する。
【背景技術】
【０００２】
タッチパネルＴＶです。
【考案の概要】
【考案が解決しようとする課題】
【０００３】
しかしながら、タッチパネルＴＶでは、映像に於けるシミュレーションとしての給餌装置オペレーションの指導ビデオであり、マンマシンインターオペラビリティ向上が計ってないという欠点がある。
【０００４】
本考案は、上記実情に鑑みてなされたものであり、タッチパネルＴＶのビデオ映像により作ったＰ-ＲＯＭにより自動給餌装置のマンマシンインターオペラビリティ向上を計る事を目的としている。
【課題を解決するための手段】
【０００５】
上記目的を達成するため考案は、タッチパネルＴＶのビデオ映像により自動給餌装置のハンドリングのプログラムを作って、いつもビデオ映像の進行によりマンマシンインターオペラビリティ向上を計ることであり、次の構成を含むことを特徴としている。従来のビデオ映像システムによりタッチパネルＴＶの画面の映像ニワトリ、ウサギ、アヒルの順序に、タッチしてプログラムＲＯＭ化のコンピュータドライブにより自動給餌装置をニワトリ、ウサギ、アヒルの順序にマンマシンインターオペラビリティ向上を計って運用する構成である。
【考案の効果】
【０００６】
本考案により、従来のシミュレーションまでの情報処理装置のシミュレーション情報を使って則ちエネルギー一定のエネルギー・フィールドに於ける移相制御の情報化による生物学、化学、物理学、地学的仕事をした情報化の事をエコロジー処理と呼んでいるが、例としてＣＧ合成の絵による桜の開花をシミュレーションとして情報化してきた情報処理コンピュータ、その情報を使用して、太陽エネルギー制御（温室等）による生物学的仕事をさせて日本列島に於ける情報化を桜前線と呼びこの環境技術の向上まで含めてエコロジー処理コンピュータと称します。この自動給餌装置をＰ-ＲＯＭコンピュータドライブシステムによる物理学的仕事として情報化されるエコロジー処理コンピュータとしてニワトリ、ウサギ、アヒルの順序で自動給餌される事にマンマシンインターオペラビリティ向上が毎回計ってある。
【図面の簡単な説明】
【０００７】
【図１】本考案のエコロジー処理コンピュータを示す図である。エコロジー処理コンピュータは、図１に示すようにタッチパネルＴＶ１、ビデオシステム２、Ｐ-ＲＯＭコンピュータドライブシステム３、そして自動給餌システム４であります。
【考案を実施するための形態】
【０００８】
本考案の実施の形態の一例について、図面を参照しながら説明する。
エコロジー処理コンピュータは、図１に示すようにタッチパネルＴＶ１に作ったビデオシステム２からの映像によりニワトリ、ウサギ、アヒルの自動給餌システム４を順序にＰ-ＲＯＭコンピュータドライブシステム３によりマンマシンインターオペラビリティ向上を計って毎回自動給餌するものである。
【符号の説明】
【０００９】
１          タッチパネルＴＶ
２          ビデオシステム
３          Ｐ-ＲＯＭコンピュータドライブシステム
４          自動給餌システム
【図１】
0003160286.tif 000003
【手続補正書】
【提出日】平成21年7月7日(2009.7.7)
【手続補正１】
【補正対象書類名】実用新案登録請求の範囲
【補正対象項目名】全文
【補正方法】変更
【補正の内容】
【実用新案登録請求の範囲】
【請求項１】
タッチパネルＴＶにビデオシステムで作った映像上からタッチ選択して
作ったＰ−ＲＯＭコンピュータドライブシステムのコンベヤーで映像を見る家畜の生態エコロジーに対応して自動給餌するＰ−ＲＯＭコンピュータドライブシステムとタッチパネルＴＶで構成したエコロジー処理コンピュータ。
【請求項２】
家畜毎の生態エコロジーをビデオ化したビデオを具備する事を特徴とする請求項１記載のエコロジー処理コンピュータ。
【請求項３】
ビデオシステムをＣＤ、ＤＶＤ、ＢＤで代替えして具備する事を特徴とする請求項１記載のエコロジー処理コンピュータ。
【手続補正書】
【提出日】平成21年8月21日(2009.8.21)
【手続補正１】
【補正対象書類名】実用新案登録請求の範囲
【補正対象項目名】請求項１
【補正方法】変更
【補正の内容】
【請求項１】
タッチパネルＴ、Ｖ、とそのＴ、Ｖ、映像を作るビデオシステムそして映像上をタッチして作るＰ−ＲＯＭ、それによりシーケンス自動制御されるモータとモータドライブのコンベヤー給餌システムで構成したエコロジー処理コンピュータ。
【手続補正書】
【提出日】平成21年11月20日(2009.11.20)
【手続補正１】
【補正対象書類名】実用新案登録請求の範囲
【補正対象項目名】全文
【補正方法】変更
【補正の内容】
【実用新案登録請求の範囲】
【請求項１】
タッチパネルＴＶ、とそのＴＶ映像を作るビデオシステムそして映像上をタッチして作るＰ−ＲＯＭ、およびＰ−ＲＯＭにより自動制御されるモータとモータドライブのコンベヤー給餌システムで構成したエコロジー処理コンピュータ。
【請求項２】
家畜毎の生態エコロジーをビデオ化したビデオを具備する事を特徴とする請求項１記載のエコロジー処理コンピュータ。
【請求項３】
ビデオシステムをＣＤ、ＤＶＤ、ＢＤで代替えして具備する事を特徴とする請求項１記載のエコロジー処理コンピュータ。
(57)【要約】      （修正有）【課題】自動車を運転するときに、自動車の側面下方を見ることができ、安全運転に役立ったミラーを提供する。【解決手段】自動車に付いている既設のバックミラーの他に、更に、車外の左右側面に下方、自動車の車輪の接地位置が運転席から見えるように取り付ける。既設のミラーから独立していて、大きさは既設のミラーと同等かそれ以下、また、凸面か平面の形状を有する。【選択図】図１
0003160289.tif 000002
【実用新案登録請求の範囲】
【請求項１】
自動車に付いている従来のバックミラーの他に、車の左右側面に下方が見えるように取り付けたミラー。
【考案の詳細な説明】
【技術分野】
【０００１】
本考案は、自動車を運転するとき側面下方が見えない難点を解決するため、従来のバックミラーの他に車の両側の左右にもう1対、可動式の下方を見るためのミラーを付ける方法で問題を解決した。
【先行技術文献】
【特許文献】
【０００２】
なし
【非特許文献】
【０００３】
なし
【考案の概要】
【考案が解決しようとする課題】
【０００４】
解決しようとする課題は、自動車にはバックミラーがドアーやフェンダーに付いている。可変式のものは下方まで見ることが出来るようにすることが可能である。しかし、そのときは横や後ろが見えにくい。また、ミラーを上下にしょっちゅう動かすのは面倒であるし、運転中は危ない。自動車の側面下方が必要なときいつでも見ることが出来れば安全運転が容易になり、事故も起こさずに済む。この課題を解決する。
【課題を解決するための手段】
【０００５】
本考案は、自動車の左右両側面にそれぞれミラーを付けることにより課題を解決した。
【考案の効果】
【０００６】
自動車で駐車するときは両側の白線がよく見えるので車を安全、容易に駐車することが出来る。また、狭い道での離合の際でも左側の路肩や白線がよく見えて安全に運転が出来る。右側の白線が見えると自分が右に寄りすぎて接触事故を起こすことも無くなる。
【図面の簡単な説明】
【０００７】
【図１】図１は本考案の自動車の側面に付けたミラーの様子。車の後ろから見た図の一例
【図２】図２は従来のミラーボックス内下に考案のミラーを取り付けた図の一例
【考案を実施するための形態】
【０００８】
ミラーを付ける位置はドアーでもフェンダーでもどちらでも良い。また形状は角形でも丸形でもよい。要は運転中に運転席から見やすいことが肝要である。
【実施例１】
【０００９】
本考案のような物は無いので、自動車のバックミラーの下に左右側面の下方が見えるように鏡をさげてみた。それにより効果が確認できた。
【産業上の利用可能性】
【００１０】
自動車の安全運転のために利用が可能である。
【符号の説明】
【００１１】
１    自動車の車体
２    従来のミラー
３    本考案のミラー
４    車の車輪
【図１】
0003160289.tif 000003
【図２】
0003160289.tif 000004
【手続補正書】
【提出日】平成21年12月2日(2009.12.2)
【手続補正１】
【補正対象書類名】実用新案登録請求の範囲
【補正対象項目名】全文
【補正方法】変更
【補正の内容】
【実用新案登録請求の範囲】
【請求項１】
自動車に付いている従来のバックミラーの他に、更に、車外の左右側面に下方、車輪の接地位置が見えるように取り付けたミラー。
ミラー本体の形状は丸形でも角形でも良く、ミラーは上下、左右に見える角度を動かすことが出来、運転席から見やすいように取り付
けたもの。このミラーの形状は平面鏡か凸面鏡である。
【手続補正書】
【提出日】平成22年1月25日(2010.1.25)
【手続補正１】
【補正対象書類名】実用新案登録請求の範囲
【補正対象項目名】全文
【補正方法】変更
【補正の内容】
【実用新案登録請求の範囲】
【請求項１】
自動車に付いている既設のバックミラーの他に、更に、車外の左右側面に下方、自動車の車輪の接地位置が見えるように取り付けた
ミラーで、その形状は丸形、角形のいずれでも良く、固定または上下左右可動式で、運転席から見やすいように取り付けたミラー。
【手続補正書】
【提出日】平成22年3月24日(2010.3.24)
【手続補正１】
【補正対象書類名】実用新案登録請求の範囲
【補正対象項目名】全文
【補正方法】変更
【補正の内容】
【実用新案登録請求の範囲】
【請求項１】
自動車に付いている既設のバックミラーの他に、更に、車外の左右側面に下方、自動車の車輪の接地位置が運転席から見えるように取り付けた ミラーで、既設のミラーから独立していて、運転席から方向転換が自由に出来るもの、または、手動でも方向転換が出来るように取り付けたミラー、その形状は丸形、角形のいずれでも良く、大きさは既設のミラーと同等かそれ以下、また、凸面か平面の形状を有するミラーであり、固定または上下左右可動式で、運転席から見やすいように取り付けたミラー。
(57)【要約】      （修正有）【課題】気泡緩衝材の袋にジッパーテープを溶着し、気泡緩衝材のクッション性とチャック付き袋の密封性を合わせ持った袋を提供する。【解決手段】気泡緩衝材１に直接ジッパーテープ４を開口部３にヒートシーラーにより溶着した後、二つ折りにして両サイドをヒートシーラーにて溶着することにより、気泡緩衝材のクッション性とチャック付き袋の密封性を合わせ持つ袋となる。気泡緩衝材は大小様々な大きさに加工が可能なので、保護対象物の大きさに合わせて作ることができるため、使用する材料を少なくし、手間を省き、見た目にも美しく省スペースを可能とする。【選択図】図１
0003160287.tif 000002
【実用新案登録請求の範囲】
【請求項１】
気泡緩衝材に直接ジッパーテープをヒートシーラーにより溶着し、ジッパーテープ同士が合わさるように半分に折り、両サイドを溶着することで、クッション性と、チャック付き袋の密封性を合わせ持ち、さらに物を包む際に使用する材料を少なくし、見た目にも美しく、省スペースを可能とする袋となる。
【考案の詳細な説明】
【技術分野】
【０００１】本考案は、気泡緩衝材にジッパーテープを設けた、袋に関するものである。
【背景技術】
【０００２】  割れやすいもの、精密部品等を保護し、出荷する場合、保護対象物より２から３倍の緩衝材に包みテープでとめる、または、チャック付き袋に保護対象物を入れその周りを、気泡緩衝材で保護していた。
【考案の概要】
【考案が解決しようとする課題】
【０００３】    従来の方法で割れやすいもの、精密部品等を保護し、出荷すると、コストが掛かり、  材料面も無駄が大きい。また、他の商品と同一梱包の際にかさばってしまう。
チャック付き袋に入れてから保護する場合も、手間が掛かってしまう上、気泡緩衝材も  準備しなくてはならないため、こちらもコストが掛かる。
従って、気泡緩衝材の機能と、チャック付き袋の機能を一体化することにより無駄を  省き、前述の欠点を解決しようとするものである。
【課題を解決するための手段】
【０００４】  本考案は、気泡緩衝材に直接ジッパーテープをヒートシーラーにより溶着し、袋状にすることで、クッション性と、チャック付き袋の密封性を合わせ持ち、さらに物を包む際に使用する材料を少なくし、手間を省き、見た目にも美しく、省スペースを可能とする。気泡緩衝材は、大小様々な大きさに加工が可能なので、保護対象物の大きさに合わせて作ることが出来るため、材料の無駄を高い割合で省くことで問題点を解決している。
【考案の効果】
【０００５】  上述のように、本考案のチャック付き気泡緩衝材の袋は割れやすいもの、精密部品の保護は勿論、チャックを設けているので、無駄な大きさにする必要がなく、対象物の  大きさに合わせて使用ができ、また、安易に密封をすることができるので、コストの軽減に役立つ。
【図面の簡単な説明】
【０００６】
【図１】本考案のチャック付き気泡緩衝材の袋の一実施例を示す斜視図である。
【図２】従来技術を示す一部切断面図である。
【考案を実施するための形態】
【０００７】  この発明の一実施形態を、図１に示す。
気泡緩衝材を二つ折りにし、両サイドをヒートシーラーにより溶着して袋状にする。その袋の開口部にジッパーテープを設け、こちらも同じくヒートシーラーにより、溶着することで、開閉可能な気泡緩衝材の袋となる。
【実施形態の効果】
【０００８】  この実施形態によれば、気泡緩衝材に直接ジッパーテープを溶着し袋状にすることで、クッション性とチャック付き袋の密封性を合わせ持つことができる。対象物のサイズにより、袋の大きさを合わせることができ、また、対象物の内容により、粒の内外も変えることができる。
従来なら、チャック付き袋では、密封はできるが、精密部品など壊れやすいものを保護することができない。気泡緩衝材では保護することはできるが、密封ができず蓋をするために大きく作らなければならないが、この袋はどちらも問題も解消できる。
【符号の説明】
【０００９】１  気泡緩衝材
２  ヒートシーラー溶着部分
３  開口部
４  ジッパーテープ
１ａ  気泡緩衝材
２ａ  ヒートシーラー溶着部分
３ａ  開口部
４ａ  ジッパーテープ
５ａ  チャック付き袋
【図１】
0003160287.tif 000003
【図２】
0003160287.tif 000004
【手続補正書】
【提出日】平成21年9月8日(2009.9.8)
【手続補正１】
【補正対象書類名】実用新案登録請求の範囲
【補正対象項目名】請求項１
【補正方法】変更
【補正の内容】
緩衝用気泡材で作成された袋の開口部の内側一方に凸型ジッパーテープ、もう一方に凹型のジッパーテープを設け、クッション性と、密封性を合わせ持ち開閉自在であることを特徴とするチャック付き気泡緩衝材の袋。
(57)【要約】      （修正有）【課題】鉄筋コンクリート構造物の型枠工事において、木製コンクリートパネルと桟木を組み合わせた型枠の連結を、釘を使用せずに型枠を強固に密着させ連結でき、熟練した技術を必要とせず、軽量で携帯性に優れ、安価に製造でき、簡単に取り外しができ、回収して何度でも使用出来る型枠連結金物を提供する。【解決手段】連結しようとする型枠の桟木Ｓを緩み防止突起部２ではさみ、はさみ部及びつまみ部３をつまみ、打撃部４をハンマーなどで叩き、取り付けると桟木が密着し型枠を連結できる型枠連結金物である。取り外しの際にはバール差込み穴５にバールなどを差込み、釘を抜く要領で簡単に取り外すことが出来る。【選択図】図６
0003160202.tif 000002
【実用新案登録請求の範囲】
【請求項１】
型枠工事に使用する木製コンクリートパネルの桟木と組み合わせた型枠の連結を、金属の板状でコの字型の後部をハンマーや金槌で叩いて取り付け、振動で抜け落ちないよう先端内部に突起があり、バールや釘抜きなどを差し込む穴がある、型枠連結金物。
【考案の詳細な説明】
【技術分野】
【０００１】  本考案は、型枠工事において使用する木製コンクリートパネルと桟木を組み合わせた型枠を連結するための型枠連結金物に関する。
【背景技術】
【０００２】  従来、木製コンクリートパネルと桟木を組み合わせた型枠は、釘を用いて連結していた。また、釘を使用せずに型枠桟木をはさみクサビやボルト等で連結する器具や装置が開示されている。（実用新案文献１参照）（特許文献２・特許文献３・参照）
また、型枠の桟木に穴を開けその穴に挿入し連結する器具も開示されている（特許文献４参照）
【実用新案文献１】
実公昭５９−０１１５４９公報
【特許文献２】
特開２００４−７６９２５広報
【特許文献３】  特開平１０−２３８１１３広報
【特許文献４】  特開２００７−１５４５０４広報
【考案の概要】
【考案が解決しようとする課題】
【０００３】  従来、木製コンクリートパネルと桟木を組み合わせた型枠の連結には釘が使われていた。しかし、通常の型枠建て込み作業では型枠を脱型することを前提している為、脱型時に釘を簡単に引抜けるように釘の頭部を残し、なおかつ連結した型枠躯体面は揃えなければならない為熟練した釘打ちの技術が必要だった。【０００４】  また、従来の釘を使用した建て込み作業では、釘をハンマーや金槌で打つ場合釘と反対方向に振りかざす空間が必要で、狭い場所では釘を打つことが困難だった。【０００５】  その為、上記説明した理由から様々な発明・考案が出願されている。【０００６】  しかし、上記従来の発明・考案されたものは複雑な構造でモルタルなどのノロが付着した場合すべて除去しなければ故障の原因になり、また部品点数が多く、製造コストが釘に比べ莫大になる。【０００７】  釘を使用した建て込み作業では、腰に吊り下げた釘を収納する釘袋から順次釘を取り出し連続して釘打ち作業ができるが、上記従来の発明・考案されたものは、釘に比べかなり大きく重いので、運搬にはバケツや箱の等の容器に入れ持ち運ばなければならない。その為、脚立や足場上では作業効率が良くない。
【課題を解決するための手段】
【０００８】  本考案は、上記課題を解決する、以下の手段を採用する。
本考案は、釘に比べ打撃部分が大きいくし熟練した作業員でなくとも容易に取り付けられ、また打撃方向が前方からなので狭い場所でも容易に取り付けられる形状とする。（図３・図４参照）【０００９】  本考案は、従来の発明・考案されてものに比べ小型軽量で、釘と同様に釘袋に収納できる大きさとする。【００１０】  本考案は、薄い金属製でコの字型とし桟木を挟む部分と打撃部との間に開口部を設けバールなどをこの開口部に引っ掛けて容易に引抜くことの出来る形状とする。【００１１】  本考案は、桟木を挟む部分の内側に突起をつけこの突起が挟んだ桟木に食い込み振動で抜け落ちない形状とする。
【考案の実施】
【００１２】  連結しようとしている二つの型枠の桟木（Ｓ）に型枠連結金物（１）の打撃部（４）付近を持ち、合わせた桟木にはさみ部（３）をはめ込み、釘を打つ時に手を添える要領で指でつまみ部（３）をつまみ、打撃部をハンマー（Ｈ）または金槌で叩きこむ。（図２・図３・図４）
【００１３】  型枠連結金物はさみ部（３）内側が桟木（Ｓ）の面まで打ち込むと（図４）連結した型枠の桟木（Ｓ）とコンクリートパネル（Ｋ）は隙間無く密着し、緩み防止突起部（２）が桟木（Ｓ）に食い込み固定され取り付けが完了する。（図５・図６）
【００１４】  型枠連結金物を取り外す際には、バール差込み穴（５）にバール（Ｂ）や釘抜き等を差込み従来の釘を抜く要領で取り外す（図７・図８・図９）。
【考案の効果】
【００１５】  本考案は、上記説明したように従来の発明・考案したものに比べ、下記に記載される効果を奏する型枠連結金物。
【００１６】  本考案の型枠連結金物は、従来の発明・考案されたものに比べ単純な形状で安価に製造でき、その形状のため軽量で釘袋に収納することも可能で、従来の釘を使用した建て込み方法と変わらない工程で作業が出来るため、本発明の型枠連結金物を使用した作業に戸惑うことなく移行でき、熟練した釘を打つ技術が無くとも取り付ける事が出来、狭く釘を打てない場所でも容易に取り付ける事が出来、従来の釘抜きの作業と変わらない動作で取り外すことが出来、回収して何度でも使用できる型枠連結金物。
【図面の簡単な説明】
【００１７】
【図１】型枠連結金物の斜視図である。
【図２】型枠連結金物を型枠に仮止めした図である。
【図３】型枠連結金物を仮止め位置からハンマーで打撃している図である。
【図４】型枠連結金物を取り付け位置までハンマーで打撃している図である。
【図５】型枠連結金物の取り付け完了した斜視図である
【図６】型枠連結金物の取り付け完了した平面図である。
【図７】型枠連結金物の解体開口部にバールを挿入した斜視図である。
【図８】型枠連結金物をバールで取り外している斜視図である。
【図９】型枠連結金物をバールで取り外した状態の詳細な斜視図である。
【符号の説明】
【００１８】Ｋ        コンクリートパネル
Ｓ        桟木
Ｈ        ハンマー
Ｂ        バール
Ｐ        パイプ
１        型枠連結金物本体
２        緩み防止突起部
３        つまみ部及びはさみ部
４        打撃部
５        バール差込み穴
【図１】
0003160202.tif 000003
【図２】
0003160202.tif 000004
【図３】
0003160202.tif 000005
【図４】
0003160202.tif 000006
【図５】
0003160202.tif 000007
【図６】
0003160202.tif 000008
【図７】
0003160202.tif 000009
【図８】
0003160202.tif 000010
【図９】
0003160202.tif 000011
(57)【要約】【課題】ルアー本体の後方にブレードとフックの基部側を連結したルアーにおいて、ブレードが水流で回転する際にフックがブレードとともに回転しないようにしたルアーを提供すること。【解決手段】魚釣り用のルアー１はルアー本体２とブレード７とフック１１とを有する。ブレード７は自身の先端寄りに形成された透孔８において第１の撚り戻し６の端部に対して連結リング９によって連結されている。フック１１はブレード７の透孔８に対して第２の撚り戻し１０を介して連結されている。これによってブレード７が回転する際にフック１１が連れ回りすることがない。【選択図】図１
0003160208.tif 000002
【実用新案登録請求の範囲】
【請求項１】
ルアー本体と、同ルアー本体に対して第１の撚り戻しを介して取着され、前記第１の撚り戻しの端部と自身の先端寄りに形成された透孔との間を連結部材によって連結されたブレードと、同ブレードの前記透孔に対して第２の撚り戻しを介して直接的又は間接的に連結されたフックとを有することを特徴とする魚釣り用のルアー。
【請求項２】
前記フックの全長は前記ブレードの全長よりも短く、前記フックの一部は前記ブレードが水流によって回転する際には前記ブレードの回転する領域から後方側に露出されることを特徴とする請求項１に記載の魚釣り用のルアー。
【考案の詳細な説明】
【技術分野】
【０００１】
本考案は魚釣りに使用されるルアーに関するものである。
【背景技術】
【０００２】
近年の魚釣りにおいては生き餌の代わりにルアーが使用されることが多くなってきている。ルアーは魚種に応じていろいろな種類が使い分けられており、例えば、特許文献１に開示されるように魚型のルアー本体２の後方に回転ジョイント６を介してブレード１１を連結するとともに、ブレード１１に釣針（フック）２０を連結するようなルアーが提供されている。
このルアーではブレード１１の基部に釣針２０が取り付けられており、ブレード１１が水流によってくるくると回転する場合には釣針２０もブレード１１とともに回転するような構造となっている。
【先行技術文献】
【特許文献】
【０００３】
【特許文献１】実用新案登録第３１０５００３号公報
【考案の概要】
【考案が解決しようとする課題】
【０００４】
しかし、ブレード１１は回転に伴う振動や反射光で魚を寄せるという目的があるため、自身は回転しなければならないものの、釣針２０は別に回転させる必要はなく、むしろ釣針２０がブレード１１とともに回転することによって水に対する抵抗が大きくなり本来のブレード１１の回転を阻害することとなってしまう。そのため、この種のルアーにおいてブレードは回転するものの釣針（フック）はその回転に追随しないような構造が求められていた。
本考案は上記課題を解決するためのものである。その目的はルアー本体の後方にブレードとフックの基部側を連結したルアーにおいて、ブレードが水流で回転する際にフックがブレードとともに回転しないようにしたルアーを提供することにある。
【課題を解決するための手段】
【０００５】
上記課題を解決するために、請求項１に記載の考案では、ルアー本体と、同ルアー本体に対して第１の撚り戻しを介して取着され、前記第１の撚り戻しの端部と自身の先端寄りに形成された透孔との間を連結部材によって連結されたブレードと、同ブレードの前記透孔に対して第２の撚り戻しを介して直接的又は間接的に連結されたフックとを有することをその要旨とする。
請求項２に記載の考案では請求項１の考案の構成に加え、前記フックの全長は前記ブレードの全長よりも短く、前記フックの一部は前記ブレードが水流によって回転する際には前記ブレードの回転する領域から後方側に露出されることをその要旨とする。
【考案の効果】
【０００６】
以上のように構成することで上記各請求項の考案では、ルアー本体の後方にブレードとフックの基部側を連結したルアーにおいて、ブレードが水流で回転する際にフックがブレードとともに回転しないため、ブレードが従来に比べてよく回転するようになる。
【図面の簡単な説明】
【０００７】
【図１】本考案の一実施の形態のルアーを水平に配置した側面図。
【図２】同じルアーのブレードが回転している状態の側面図。
【考案を実施するための形態】
【０００８】
以下、本考案の構造を具体化した実施の形態について図面に基づいて説明する。
図１及び図２に示すように、本実施の形態のルアー１は合金製の本体２を備えている。ルアー本体２は左右幅の薄い板状で側面視においては小魚に模した前後に長い流線型形状に構成されている。本体２の先端には針金製のライン取着用リング３が固着されている。
ルアー本体２の後端のブレード取着用リング４には連結リング５を介して第１の撚り戻し６が接続されている。第１の撚り戻し６の後端には金属製の木の葉形状のブレード７が取着されている。ブレード７の先端寄りには透孔８が形成されており、ブレード７は透孔８と第１の撚り戻し６の後端に取着された連結部材としての連結リング９によって連結されている。
連結リング９には第２の撚り戻し１０を介して２本のフック１１が連結されている。フック１１の全長はブレード７の全長よりも若干短く構成されている。
【０００９】
このような構成のルアー１であると、例えば船の上で釣人がラインを操作し引き回す場合では図２に示すように軸線Ｌの周りに水流によってブレード７が回転する。一方、フック１１は第２の撚り戻し１０があるため、ブレード７が回転しても連れ回ってしまうことはない。つまり、ブレード７は透孔８位置を基部としてフック１１の周囲を周回し、十分な速度で回転することでその軌跡はすげ傘形状となる。その際にはブレード７が及ぶ領域Ｓ内からフック１１の後方側に露出されることとなる。
このような実施の形態のルアー１では、ブレード７の回転にフック１１が連れ回ってしまうことがないのでフック１１が回転における抵抗にならず、よく回るようになる。
【００１０】
上記実施の形態は、以下のように具体化されてもよい。
・ルアー本体２の形状は上記のような小魚に模した形状以外であってもよい。
・ブレード６の形状は上記の形状以外であってもよい。
・ルアー本体２及びブレード７の材質は上記に限定されるものではない。
・第１及び第２の撚り戻し６，１０の構成は上記以外でも構成でも構わない。
・上記実施の形態では第２の撚り戻し１０は連結リング９を介して透孔８に連結されていたが、連結リング９がなくともよい。逆にフック１１は連結リングを介して第２の撚り戻し１０に連結してもよい。
その他、本考案の趣旨を逸脱しない範囲において変更した態様で実施することは自由である。
【符号の説明】
【００１１】
１…ルアー、２…ルアー本体、６…第１の撚り戻し、７…ブレード、８…透孔、９…連結部材としての連結リング、１０…第２の撚り戻し。
【図１】
0003160208.tif 000003
【図２】
0003160208.tif 000004
(57)【要約】      （修正有）【課題】インキパイプ相互間、更には筒状ペン本体の内孔の内周面との間の空間を減らし、インキ充填量を増やすことができる多色ボールペンを提供する。【解決手段】断面円形内孔の筒状ペン本体と、夫々異色のインキを充填し、且つ独立して前記筒状ペン本体内をスライドする複数本のインキパイプと、この任意のインキパイプをスライドさせて前記筒状ペン本体の先端口より前記インキパイプのボールを導き出すスライドノックとで成した多色ボールペンに於いて、前記筒状ペン本体の内孔中心より内周面に向かって放射状に描かれる三角領域部に夫々位置する様、前記複数本のインキパイプを三角形に形成したものである。【選択図】図１
0003160206.tif 000002
【実用新案登録請求の範囲】
【請求項１】
断面円形内孔の筒状ペン本体と、夫々異色のインキを充填し、且つ独立して前記筒状ペン本体内をスライドする複数本のインキパイプと、この任意のインキパイプをスライドさせて前記筒状ペン本体の先端口より前記インキパイプのボールを導き出すスライドノックとで成した多色ボールペンに於いて、前記筒状ペン本体の内孔中心より内周面に向かって放射状に描かれる三角領域部に夫々位置する様、前記複数本のインキパイプを三角形に形成したことを特徴とした多色ボールペン。
【請求項２】
前記複数本のインキパイプは、三角形の底辺を筒状ペン本体の内孔の内周面に沿う様、円弧状に形成したことを特徴とした請求項１記載の多色ボールペン。
【考案の詳細な説明】
【技術分野】
【０００１】
本考案は、異色インキを充填した複数本のインキパイプを筒状ペン本体内に収納して、任意のインキパイプを導き出して筆記する多色ボールペンに関する。
【背景技術】
【０００２】
この種、多色ボールペンとして、例えば下記文献が存在する。即ち、インキパイプは断面丸型とし、筒状ペン本体内に複数本収納してスライドノックにて夫々独立してスライドする様にしている。
而して、筒状ペン本体の内孔も断面丸型でることから、インキパイプ相互間、更には筒状ペン本体の内孔の内周面との間には相当の空間が存在し、インキ収納スペースとして無駄なスペースと言える。
【先行技術文献】
【特許文献】
【０００３】
【特許文献１】特開平２００１−１１３８８２号
【考案の概要】
【考案が解決しようとする課題】
【０００４】
本考案は、多色ボールペンとしてのインキパイプが断面丸型、これを複数本収納する筒状ペン本体の内孔も断面丸型でることから、インキパイプ相互間、更には筒状ペン本体の内孔の内周面との間には相当の空間が存在し、インキ収納スペースとして無駄なスペースとなっている課題を解決しようとするものである。
【課題を解決するための手段】
【０００５】
以上の課題を解決するために本考案は、断面円形内孔の筒状ペン本体と、夫々異色のインキを充填し、且つ独立して前記筒状ペン本体内をスライドする複数本のインキパイプと、この任意のインキパイプをスライドさせて前記筒状ペン本体の先端口より前記インキパイプのボールを導き出すスライドノックとで成した多色ボールペンに於いて、前記筒状ペン本体の内孔中心より内周面に向かって放射状に描かれる三角領域部に夫々位置する様、前記複数本のインキパイプを三角形に形成したことを特徴としたものである。
【０００６】
更に、本考案は複数本のインキパイプは、三角形の底辺を筒状ペン本体の内孔の内周面に沿う様、円弧状に形成したものである。
【考案の効果】
【０００７】
請求項１により、筒状ペン本体の円形内孔全域に空間は勿論、インキパイプ相互間の空間も極力微少となって、その分パイプのインキ充填量を増やすことができ、多色ボールペンを長く使用できる。
請求項２により、インキパイプと筒状ペン本体の内孔の内周面とはより空間を少なくでき、インキ充填量を一層増すことができる。
【図面の簡単な説明】
【０００８】
【図１】本考案に係る多色ボールペンの断面正面図
【図２】同上の拡大部分断面図
【図３】同上の縦断面図
【図４】同上の異なる縦断面図
【図５】インキパイプの斜視図
【考案を実施するための形態】
【０００９】
以下本考案を実施形態の図面に基づいて説明する。
図１は本考案に係る多色ボールペンの断面正面図を示し、金属、合成樹脂等にて形成された断面円形内孔２を有する筒状ペン本体１に夫々異色のインキＩａ、Ｉｂ、Ｉｃ、Ｉｄを充填する複数本のインキパイプ３を収納している。
このインキパイプ３はインキＩａ、Ｉｂ、Ｉｃ、Ｉｄを充填する断面三角形のパイプ主体４と、このパイプ主体４に差込連結される小径の可撓性パイプ５とで構成されている。
【００１０】
更に、可撓性パイプ５の先端にはインキが滲み出るボール６を有しており、前記筒状ペン本体１の先端口７より可撓性パイプ５と共に、導き出される。
而して、筒状ペン本体１は、小径の可撓性パイプ５が出入りするに要する口径の先端口７であって、該先端口７に向かって、一定位置ｔから先細状に形成されている。
この一定位置ｔの近傍にパイプ主体４と可撓性パイプ５との連結位置ｓが存在する様、設定されている。
【００１１】
従って、断面三角形に形成されていることによりパイプ主体４は、筒状ペン本体１の円形内孔２及びパイプ主体４に密接して位置している状態から、インキパイプ３がスライドノック８にて復帰用コイルバネ（図示せず）に抗してスライドした場合、その一定位置ｔから先端口７の距離Ｔ間にて他のスライドしないインキパイプ３とは遊離した状態にて進行し、可撓性パイプ５の撓みによって支障なく先端口７より所定のインキパイプ３のボール６が導き出されることとなる。
【００１２】
図３はインキパイプ３のパイプ主体４を筒状ペン本体１の内孔２において４等分、即ち４本収納させている。
図４は３等分、即ち３本収納しており、複数本存在すればよく、本数は任意である。
又、ここで言う三角形とは、三辺の総てが直線とするものは勿論、夫々の実施例図に示す如く、筒状ペン本体１の円形内孔２に沿う様、円弧状に形成したものも含むものである。
【符号の説明】
【００１３】
Ｉａ、Ｉｂ、Ｉｃ、Ｉｄ  インキ
１  筒状ペン本体１
２  内孔
３  インキパイプ
４  パイプ主体
５  可撓性パイプ
６  ボール
７  先端口
８  スライドノック
【図１】
0003160206.tif 000003
【図２】
0003160206.tif 000004
【図３】
0003160206.tif 000005
【図４】
0003160206.tif 000006
【図５】
0003160206.tif 000007
(57)【要約】      （修正有）【課題】鉄筋コンクリート製建造物の構造、鉄筋の配置を立体的に確認出来る縮尺の鉄筋構造模型を提供する。【解決手段】鉄筋コンクリート製建造物で建造物全体を縮尺し鉄筋だけの骨組みで表現する鉄筋構造模型。鉄筋住宅やマンションその他の鉄筋コンクリート製建造物のコンクリート打設前の鉄筋の配置、本数などが立体的に且つ明瞭に把握することが出来る。又、新築祝いなどの記念品ともなりえる。【選択図】図１
0003161950.tif 000002
【実用新案登録請求の範囲】
【請求項１】
鉄筋コンクリート製建造物で建造物全体を縮尺し鉄筋だけの骨組みで表現する鉄筋構造模型．
【考案の詳細な説明】
【技術分野】
【０００１】本考案は鉄筋コンクリート建造物の縮尺構造模型に関するものである。
【背景技術】
【０００２】鉄筋コンクリート建造物の模型として、例えば、次の実用新案登録  第３１１８０１４号がある。
【先行技術文献】
【特許文献】
【０００３】
【特許文献１】実用新案登録  第３１１８０１４号  公報
【０００４】実用新案登録  第３１１８０１４号は、鉄筋コンクリート製建造物の、一部分を切断して躯体構造を表し又、鉄筋以外の、床材や外壁材を使用して、立体的に断面構造が見える様に切断している。
【考案の概要】
【考案が解決しようとする課題】
【０００５】今まで鉄筋コンクリート製建造物の一部を切断したものしかなく、建造物全体の鉄筋構造の詳細を見る事が出来ず、建築現場に出向き見学するにしても危険を伴うと共に、既にコンクリートを打設した箇所はコンクリートで隠れて、鉄筋の詳細が確認出来ない。写真に収めたとしても一部にしかすぎず鉄筋構造全体を目視することは、不可能である。【０００６】そこで本考案は、鉄筋コンクリート建造物を鉄筋だけで表す縮尺模型を提供することを課題としている。
【課題を解決するための手段】
【０００７】本考案は実際のコンクリート建造物の図面を元に、縮尺鉄筋を必要用途別に加工して鉄筋だけの骨組みで表現し鉄筋構造模型を組み上げるものである。
【考案の効果】
【０００８】本考案によれば鉄筋住宅やマンションその他の鉄筋コンクリート製建造物のコンクリート打設前の鉄筋の配置、本数などが立体的に且つ明瞭に把握することが出来る。又、新築祝いなどの記念品ともなりえる。
【図面の簡単な説明】
【０００９】
【図１】本考案の鉄筋構造模型の一実施例の鉄筋構造模型図である。
【考案を実施するための形態】
【００１０】以下、本考案の実施の形態を図面に参照して具体的に説明する。
図１は、本考案の鉄筋構造模型の一例であり、鉄筋コンクリート製建造物の鉄筋構造を縮尺したものである。
【００１１】この鉄筋構造模型は、主要な構成要素として、ベースのＡ部、柱のＢ部、梁のＣ部を備えている。
例えば、実際のコンクリート製建造物にある様な、壁や床などは省かれている。
【００１２】前記ベースＡは、ベース筋５を所定の間隔で配置されており各柱Ｂの下部に設けられている。
【００１３】柱Ｃは、前記ベースＡの上部に設置されていて、柱主筋６を垂直に立ち上げ柱フープ筋７が柱主筋６を囲む形で所定の間隔をもって巻きつけられている。
【００１４】梁Ｂは、前記柱Ｃに対して直角水平に配置されており、梁上筋１と梁下筋２をスターラップ筋３が囲む形で所定の間隔をもって巻きつけられていて、スターラップ筋３の真ん中には梁ハラ筋４が添えつけられている。
【００１５】この鉄筋構模型は、上述のように主要な構成要素としてベースＡ部、柱Ｂ部、梁Ｃ部からなる立体的な、本考案の鉄筋構造模型になることでコンクリート製建造物の骨組みやピッチ、本数などを感覚的に理解でき、尚且つ構造をも把握する事が出来る様になる。
【符号の説明】
【００１６】Ａ  ベース部分
Ｂ  柱部分
Ｃ  梁部分
１  梁上筋
２  梁下筋
３  スターラップ筋
４  梁ハラ筋
５  ベース筋
６  柱主筋
７  柱フープ筋
【図１】
0003161950.tif 000003
【手続補正書】
【提出日】平成22年4月13日(2010.4.13)
【手続補正１】
【補正対象書類名】実用新案登録請求の範囲
【補正対象項目名】全文
【補正方法】変更
【補正の内容】
【実用新案登録請求の範囲】
【請求項１】
鉄筋コンクリート製建造物の設計図や図面を元に、その寸法を縮尺して形成するもので鉄筋の太さや形状を用途別に使用し、少なくとも基礎梁柱、大梁の組み合わせによる鉄筋コンクリート製建造物全体の骨組みを目視出来ることを特徴とする鉄筋構造模型。
(57)【要約】      （修正有）【課題】ユニット単位またはサーバーサイズに合わせて複数ユニット単位に、サーバーの端子面を囲んで、設置済みのサーバーを触る事が出来ない様にするサーバーラックカバーを提供する。【解決手段】従来はラック単位に管理していた鍵等のセキュリティの仕組みをユニット単位あるいは複数ユニット単位に持ち込み、ラックのサーバー取付穴を利用してそれぞれのサーバーの端子面を樹脂あるいは金属製のカバーで覆うと同時に、電源コンセントも内装して、ユニット単位の電源の明確化も図れる様にし、ケーブル配線を的確にして、ラックに無為なコンセントを付ける事を防ぎ、サーバー管理者、サーバー技術者共に安心してサーバーを触れる設置環境を作り出した。【選択図】図１
0003161947.tif 000002
【実用新案登録請求の範囲】
【請求項１】
サーバーラックのユニット毎に取り付けるサーバー端子面を覆うサーバーラックカバー。
【請求項２】
鍵を付けた請求項１のサーバーラックカバー。
【請求項３】
電源コンセントを取り付けた請求項１のサーバーラックカバー。
【請求項４】
複数ユニットにまたがる請求項１のサーバーラックカバー。
【考案の詳細な説明】
【技術分野】
【０００１】  本考案はデータセンター等で重要な情報を持つサーバーの設置に関するものである。
【背景技術】
【０００２】  近年、サーバー本体の集積度が上がると共に、その設置の密度も上がり、サーバーラックに納められる事が多い。データセンター等で使われている１９インチと言われる標準的なラックを例に取ると、ユニット毎に取り付け穴が用意されており、わずか５センチ程度の間隔で、規則的にサーバー１台１台を取り付けている例も多くある。サーバー本体の集積度と相まった、サーバー設置の集積度は、スペース効率の有効利用には大変効果的であるが、万一、誤接触等により、その一つのサーバーにダメージを与えただけでも、システム全体が壊れる様な大きなダメージに発展することがある
従って、ＳＥ等コンピュータ技術者は細心の注意をもって、隣接のサーバーに誤操作を与えない様に作業するが、万一、隣接のサーバーで障害が発生した場合には、当該コンピュータ技術者が触っていないかもしれないのに第一原因者とされる場合もあるし、本人も気付かずに触ってしまったかもしれないという疑心暗鬼になってしまう傾向にあった。
【考案の開示】
【考案が解決しようとする課題】
【０００３】    本考案はサーバーラックにユニット毎に高密度に取り付けられているサーバーへの誤接触を防止するものである。サーバーにはネットワークケーブルや電源ケーブル、そして電源スイッチ等が付いており、設置や調整時にはこれらを動かして作業を行うが、ひとたび稼動すると触る事はほとんど無い。ところが、ラック全体で見ると、数十台のサーバーがユニット毎に取り付けられており、常に、入替や更新がどこかのユニットで行われている。従って、触る必要が無いユニットでも常に触れる状態にあるために、無意味に誤接触の危険性に晒されている。
従って、ユニット単位またはサーバーサイズに合わせて複数ユニット単位に、サーバーの端子面を囲んで、設置済みのサーバーを触る事が出来ない様にする必要がある。
【課題を解決するための手段】
【０００４】  サーバーラックのサーバー取付穴を利用して、ユニット部分のサーバー類のソケット等に触れられないような樹脂あるいは金属製のカバーを取り付ける。操作面は開閉できるようにして、開いた時にはプラグの差し替えや電源ＯＮ−ＯＦＦの操作が出来るようにして、作業終了後はカバーを閉じておく、なお、ラックの前面と後面の両方に取り付けることもできる。
また、開閉できる人を特定する為に、鍵を付けて開錠しなくてはカバーを開けない様にすることもできる。
更に、カバーはユニット単位ないしは複数のユニットにまたがるサーバー等の機器に取り付けることも可能な為、電源もこのカバーから供給することにより、コンセントの抜け等を防止すると共に、ラック全体に無駄なコンセントが配置されるのを防ぐ。
【考案の効果】
【０００５】  本考案により、データセンターラック等の高密度に集積設置されたサーバーにおいて、ユニット毎あるいは複数ユニット毎にサーバーに合わせて当該カバーがあるために、間違って隣接サーバー等に誤接触して大きな災害になることを防げると同時に、操作を担当している技術者にとっても、他のサーバーのトラブル発生時の責任が明確化されて安心して作業出来る。また、第三者による故意の障害も防ぐ事が可能になる。更に、電源供給も個別に行う為、ラック面に予備を考慮した無為に多数のラックコンセントを付ける必要がなくなる。
【考案を実施するための最良の形態】
【０００６】  サーバーラック（１）に実装されたサーバー（２）の操作面に本考案によるサーバーラックカバー（３）をカバー止金具（８）で取り付ける。電源接続ケーブルをサーバーラックカバー（３）の電源コンセント（６）に接続する。鍵（５）を開錠して、サーバーラックカバー（１）の蓋を開いて、サーバーラックの電源コンセント（６）からサーバーへの電源を取り、ネットワークケーブル配線等を行い、操作後、蓋を閉じて鍵（５）を施錠する。
【図面の簡単な説明】
【図１】サーバーラックカバーの実装
【符号の説明】  （１）はサーバーラック
（２）はサーバー
（３）はサーバーラックカバー
（４）はサーバーラックカバー（蓋を開いたところ）
（５）は鍵
（６）は電源コンセント
（７）は電源接続ケーブル
（８）はサーバーラックカバー止金具
【図１】
0003161947.tif 000003
【手続補正書】
【提出日】平成22年2月18日(2010.2.18)
【手続補正１】
【補正対象書類名】実用新案登録請求の範囲
【補正対象項目名】全文
【補正方法】変更
【補正の内容】
【実用新案登録請求の範囲】
【請求項１】
サーバーラックのサーバーを保持する筐体に取付けて開口しなくてはサーバーユニットの端子面が露出しないようにサーバーユニットの端子面を覆うサーバーラックカバー。
【請求項２】
開口部に鍵を付けて鍵が無ければ開かない様にした請求項１のサーバーラックカバー。
【請求項３】
請求項１のサーバーラックカバーが開口されていなくてもサーバーユニットに供給電源できるように電源供給コンセントを取り付けた請求項１のサーバーラックカバー。
【請求項４】
複数連装のサーバーユニットの端子面を１個のサーバーラックで覆う請求項１のサーバーラックカバー
【手続補正書】
【提出日】平成22年5月31日(2010.5.31)
【手続補正１】
【補正対象書類名】実用新案登録請求の範囲
【補正対象項目名】全文
【補正方法】変更
【補正の内容】
【実用新案登録請求の範囲】
【請求項１】
サーバーラックのサーバーユニットを保持する筐体に取付けて開口しなくてはサーバーユニットの端子面が外部から触れないように覆うサーバーラックカバー。
【請求項２】
開口部に鍵を付けて鍵が無ければ開かない様にした請求項１のサーバーラックカバー。
【請求項３】
サーバーユニットに電源供給ができる電源供給コンセントを取り付けた請求項１のサーバーラックカバー。
【請求項４】
複数連装のサーバーユニットの端子面を１個のサーバーラックカバーで覆う請求項１のサーバーラックカバー
(57)【要約】      （修正有）【課題】コネクタを用いた携帯電話の充電に際し、爪及び指の損傷を防ぐために、携帯電話本体並びにコネクタに直接触れることなく充電作業をするためのコネクタ着脱補助用具を提供する。【解決手段】洗濯バサミ状の携帯電話充電用コネクタ着脱補助用具本体の一端である指つまみ部分を指でつまみ、つまむ力の強弱で本体の反対端であるコネクタロックボタン押し当て部分が、本体中央のバネ部分のバネの力で自由に開閉し、当該コネクタロックボタン押し当て部分で携帯電話充電器のコネクタを左右から挟みこむ。【選択図】図１
0003161946.tif 000002
【実用新案登録請求の範囲】
【請求項１】
携帯電話に充電用のコネクタを差し込んで充電するに際して、携帯電話本体の外部接続端子カバーを指や爪を使わずに外す機能を備え、充電終了後のコネクタの取り外しに際し、コネクタのロックボタンを左右から押す機能を有することにより、指でコネクタのロックボタンを押すことなく、コネクタを取り外すことができる構造の携帯電話充電用コネクタ着脱補助用具
【考案の詳細な説明】
【技術分野】
【０００１】
本考案は、携帯電話充電時のコネクタの着脱に際し、指または爪を使わずに充電作業をするためのコネクタ着脱補助用具に関するものである。
【背景技術】
【０００２】
携帯電話の充電用コネクタを用いて充電する場合、携帯電話本体の外部接続端子カバーを外す必要があるがその際には、当該カバーと携帯電話本体のわずかな隙間に爪を入れて外したり、指でカバーを押し、ずらして外す方法が一般的であった。また、充電終了後コネクタを取り外すには、コネクタの左右にある小さなロックボタンを指で押しながらコネクタを引き抜き、外す方法が採られてきた。
【考案の概要】
【考案が解決しようとする課題】
【０００３】
携帯電話の充電用コネクタを用いて充電する場合、外部接続端子カバーを外す際にはコネクタと携帯電話本体のわずかな隙間に爪を入れて、カバーを引っ張って外したり、指でカバーを押して外す方法が一般的であった。この方法によると、爪を傷つけたり、指を痛めることがあった。また、充電終了後のコネクタの取り外しにも、小さく硬いコネクタのロックボタンを押す際に、指を痛めることがあった。したがって、携帯電話の充電に際し、携帯電話本体及びコネクタに直接触れることなく充電することにより、前述の欠点を解決しようとするものである。  
【課題を解決するための手段】
【０００４】
本考案は、洗濯バサミ状のコネクタ着脱補助用具を使用することにより、携帯電話本体及びコネクタに直接触れずに充電することで、爪の損傷及び指の怪我という問題点を解決している。外部接続端子カバーの取り外しには、携帯電話とコネクタのわずかな隙間に、爪状の差込部分を入れることでカバーを取り外す。コネクタの取り外しは、洗濯バサミ状の押し当て部分でロックボタンを左右から同時に押すことで、コネクタのロックを外し、取り外しを可能とするものである。
【考案の効果】
【０００５】
上述のように、本考案の携帯電話充電用コネクタ着脱補助用具は、爪の損傷及び指の怪我の恐れがなく携帯電話の充電を可能とするものである。近年、ネイルアートやネイルケアに関心を抱き、爪や指の手入れを念入りに施す人々が増加している。これらの人々にとって携帯電話充電時の、爪や指の怪我の危険が減少することは非常に便宜である。また、携帯電話技術の進歩により、携帯電話の小型化が進み同時にコネクタの大きさも小型化している。この小型化に伴い、視力の衰えてきた高齢者や、手先の感覚が麻痺している障害者の方々などにとっては、充電作業がますます不便となった。本考案は、これらの高齢者や、障害者の方々にとっても充電作業を補助する有意義な考案である。
【考案を実施するための形態】
【０００６】
本考案のコネクタ着脱補助用具は、洗濯バサミ状の形態をしている。洗濯バサミを使用するのと同じ要領により、指でつまむ力の加減により自由自在に開閉し挟み込む構造である。外部接続端子カバーの取り外しには、爪状の差込部分をカバーの隙間に差し込んでカバーを引っ張り取り外す。コネクタの取り外しには、ロックボタンを左右から同時に押すことが必要となるが、指当て部分をつまむことでロックボタン押し当て部分が広がり、ロックボタンを左右から包み込むことができる。その後、指の力を弱めて押し当て部分で挟みこみロックを解除しコネクタを取り外す。
【実施例】
【０００７】
以下、添付図面に従って一実施例を説明する。１は耐久性のプラスチック等適宜素材にて形成されたコネクタ着脱補助用具本体である。２は本体を開閉するための指つまみ部分および外部接続端子カバーを外すための爪状の差込部分である。３は開閉することでロックボタンを挟み込んで押し、コネクタのロックを解除するロックボタン押し当て部分である。これはロックボタンを破損しないため、また、滑り止め防止のためロックボタンに直接触れる部分はゴム製等適宜素材とする。４は本体の開閉動作をするためのバネ部分である。
【図面の簡単な説明】
【０００８】
【図１】本考案の携帯電話充電用コネクタ着脱補助用具の一実施例を示す正面図である。
【符号の説明】
【０００９】
１コネクタ着脱補助用具本体
２指つまみ部分並びに外部接続端子カバー取り外し部分
３コネクタロックボタン押し当て部分
４バネ部分
【図１】
0003161946.tif 000003
【手続補正書】
【提出日】平成21年4月24日(2009.4.24)
【手続補正１】
【補正対象書類名】実用新案登録請求の範囲
【補正対象項目名】請求項１
【補正方法】変更
【補正の内容】
【請求項１】
携帯電話に充電用のコネクタを差し込み充電するに際して、携帯電話本体の外部接続端子カバーを取り外すときは、当該携帯電話充電用コネクタ着脱補助用具の爪状の差込部分を外部接続端子カバーの隙間に差し込むことで、カバーを引っ張り取り外す。そして、充電終了後のコネクタの取り外しには、当該コネクタ着脱補助用具の指当て部分をつまむことで、当該コネクタ着脱補助用具のロックボタン押し当て部分を広げロックボタンを左右から包み込み、その後指当て部分の指の力を弱めることでロックボタン押し当て部分でコネクタのロックボタンを挟み込み、ロックを解除しコネクタを取り外す構造を有する携帯電話充電用コネクタ着脱補助用具。
【手続補正書】
【提出日】平成21年7月16日(2009.7.16)
【手続補正１】
【補正対象書類名】実用新案登録請求の範囲
【補正対象項目名】全文
【補正方法】変更
【補正の内容】
【実用新案登録請求の範囲】
【請求項１】
洗濯バサミ状の携帯電話充電用コネクタ着脱補助用具本体の一端である指つまみ部分を指でつまみ、つまむ力の強弱で本体の反対端であるコネクタロックボタン押し当て部分が本体中央のバネ部分のバネの力で自由に開閉し、当該コネクタロックボタン押し当て部分で携帯電話充電器のコネクタを左右から挟みこむ構造と特徴をもつ携帯電話充電用コネクタ着脱補助用具